(57)【要約】  本発明によるゲートウェイ装置（１０）は、無線基地局の周囲の環境に関する情報を記憶するメモリ（１１）と、前記情報に基づいて、前記無線基地局に在圏する移動局をページングするためのメッセージを生成し、前記メッセージの送信先の情報を決定する処理を実行するコントローラ（１２）と、前記メッセージを送信する送信部（１３）と、を有する。これにより、ページングのメッセージの数を削減することによりページングの最適化を実現する。
2014050017.tif 000002
【特許請求の範囲】
【請求項１】
無線基地局の周囲の環境に関する情報を記憶するメモリと、
前記情報に基づいて、前記無線基地局に在圏する移動局をページングするためのメッセージを生成し、前記メッセージの送信先の情報を決定する処理を実行するコントローラと、
前記メッセージを送信する送信部と、
を有するゲートウェイ装置。
【請求項２】
コアネットワーク装置からページングに関するメッセージを受信する受信部を有し、
前記受信したメッセージに含まれる所定の情報の値が所定の条件を満たしたときに、前記コントローラが前記処理を実行する、
請求項１に記載のゲートウェイ装置。
【請求項３】
前記所定の情報要素は、
前記ページングにおける呼のＱｏＳ（Quality of Service）のクラスを示す情報、
呼のサービス種別を示す情報、または
発呼者の種別を示す情報、
のうちの少なくとも１つを含む、
請求項２に記載のゲートウェイ装置。
【請求項４】
前記受信部は、前記無線基地局からメッセージを受信し、
前記受信したメッセージは、前記移動局の識別子と前記無線基地局の識別子とを対応付けた情報とを含み、
前記コントローラは、前記受信したメッセージに基づいて、前記移動局が在圏した前記無線基地局を識別する、
請求項２又は３に記載の、ゲートウェイ装置。
【請求項５】
前記コントローラは、
所定の時間が経過したときに前記対応付けた情報を削除する、
請求項４に記載のゲートウェイ装置。
【請求項６】
移動通信システムはThird Generation Partnership Project（３ＧＰＰ）で規定されるLong Term Evolution（ＬＴＥ）の移動通信システムであり、
前記移動局は、User Equipment（ＵＥ）であり、
前記無線基地局はHome evolved Node B（ＨｅＮＢ）であり、
前記ゲートウェイ装置はHeNB Gateway（ＨｅＮＢ−ＧＷ）である、
請求項１から５のいずれか１項に記載のゲートウェイ装置。
【請求項７】
前記周囲の環境に関する情報は、
前記無線基地局の周囲の無線環境に関する情報であって、
Enhanced Universal Terrestrial Radio Access Network（Ｅ−ＵＴＲＡＮ）のセルに関する情報、
Universal Terrestrial Radio Access Network（ＵＴＲＡＮ）のセルに関する情報、
Global System for Mobile Communications EDGE Radio Access Network（ＧＥＲＡＮ）のセルに関する情報、
Worldwide Interoperability for Microwave Access（ＷｉＭＡＸ）の基地局に関する情報、
無線インターネットホットスポットに関する情報、
テレビ局に関する情報、
ラジオ局に関する情報、及び
ＧＰＳに関する情報、
のうちの少なくとも１つを含む、
請求項１から６のいずれか１項に記載のゲートウェイ装置。
【請求項８】
前記周囲の環境に関する情報は、
前記無線基地局に割り当てられるＩＰアドレス、
前記無線基地局が設置される場所に関する住所、
郵便番号、
電話番号、または
前記無線基地局に直前に接続されていたゲートウェイ装置の識別情報
のうちの少なくとも１つを含む、
請求項１から７のいずれか１項に記載のゲートウェイ装置。
【請求項９】
無線基地局と、前記無線基地局と通信するゲートウェイ装置と、を有する移動通信システムであって、
前記無線基地局は、
前記無線基地局の周囲の環境に関する情報を前記ゲートウェイ装置に送信し、
前記ゲートウェイ装置は、
前記情報を受信する受信部と、
前記情報に基づいて、前記無線基地局に在圏する移動局をページングするためのメッセージを生成し、前記メッセージの送信先の無線基地局を決定する処理を実行するコントローラと、
前記メッセージを送信する送信部と、
を有する移動通信システム。
【請求項１０】
無線基地局の周囲の環境に関する情報を記憶するステップと、
前記情報に基づいて、前記無線基地局に在圏する移動局をページングするためのメッセージを生成し、前記メッセージの送信先の無線基地局を決定する処理を実行するステップと、
前記メッセージの送信先の無線基地局に前記メッセージを送信するステップと、
を有するページング方法。
【発明の詳細な説明】
【技術分野】
【０００１】
本発明は、ゲートウェイ装置、移動通信システム、およびページング方法に関する。
【背景技術】
【０００２】
移動体通信では端末に対して着信があった場合、その旨を端末に通知する必要がある。ネットワークは端末の位置情報を位置登録エリアで管理しており、ネットワークでは端末が位置登録している位置登録エリア内の全端末に対して着信があったことを同報的に通知する。このような手順をページング(paging)と呼ぶ（例えば非特許文献１参照）。【０００３】
一般に、移動通信システムにおいてはページングの最適化（paging optimization）が必要とされる。例えば３ＧＰＰ（Third Generation Partnership Project）で規定するＬＴＥ(Long Term Evolution）の移動通信システムにおいては、ｓｔａｇｇｅｒｅｄ  ｐａｇｉｎｇという手法が提案されている（非特許文献２）。ＬＴＥでは、ＴＡＩ(Tracking Area Identity) Ｌｉｓｔに基づいてページングを実施する無線基地局（ＮＢ：Node B）を決定する。そのため、ＴＡＩ  Ｌｉｓｔに多数のＴＡＩが含まれている場合には、そのＴＡＩを持つ全ての無線基地局がページングを実施する必要がある。そこで非特許文献２では、ＭＭＥが、端末の存在情報、例えば端末が最近実施したＴＡＵ（Tracking Area Update）の情報に基づき、ＴＡ（Tracking Area）群のサブセットとして特定のＴＡ或いは無線基地局を決定してページングする手法を提示している。【０００４】
ところで、近年の移動通信システムでは、既存の無線基地局に加えて、フェムト基地局と呼ばれる小型の無線基地局を新たに導入し、フェムトセルのサービスを提供するケースがある。ＬＴＥの移動通信システムでは、フェムト基地局をＨｅＮＢ（Home evolved Node B）と呼ぶ。フェムト基地局がカバーするセルのエリアは半径数メートルから数十メートル程度が一般的である。また、システム内には多数のフェムト基地局が設置される場合が多い。また、ＬＴＥのアーキテクチャでは、ＨｅＮＢと、その上位に位置するコアネットワークのノードであるＭＭＥ（Mobility Management Entity）との間に、オプションでＨｅＮＢ−ＧＷ（Home evolved Node B Gateway）が設置される場合がある。ＨｅＮＢと、ＨｅＮＢ−ＧＷおよびＭＭＥとのインターフェースの使用は、Ｓ１ＡＰ（S1 Application Protocol）として非特許文献３に規定されている。
【先行技術文献】
【非特許文献】
【０００５】
【非特許文献１】立川敬二、「Ｗ−ＣＤＭＡ移動通信方式」、丸善株式会社、ｐｐ．２５４−２５６
【非特許文献２】R3-082983  3GPP TSG-RAN-WG3 Meeting #62  http://www.3gpp.org/ftp/tsg_ran/WG3_Iu/TSGR3_62/docs/R3-082983.zip
【非特許文献３】Evolved Universal Terrestrial Radio Access Network (E-UTRAN); S1 Application Protocol (S1AP) [3GPP TS36.413 v10.3.0］
【発明の概要】
【発明が解決しようとする課題】
【０００６】
上述した背景技術には、次のような課題がある。【０００７】
非特許文献２では、上述のようにＵＥが登録されているＴＡに属している１つの無線基地局に対してのみページングすることも可能であるが、フェムト基地局の場合はサービスエリアが小さいためページングをする際にはＵＥがエリア外に移動する可能性がある。また、1つのＴＡに属する全ての無線基地局をページングの対象にしたのではページングの最適化の効果は小さい場合がある。したがって、ページングを実施する範囲や無線基地局の数を段階的に調整することができない。【０００８】
そこで、本発明の目的は、上述した課題を解決することが可能な、ゲートウェイ装置、移動通信システム、およびページング方法を提供することにある。
【課題を解決するための手段】
【０００９】
上記の目的を達成するため、本発明によるゲートウェイ装置は、無線基地局の周囲の環境に関する情報を記憶するメモリと、前記情報に基づいて、前記無線基地局に在圏する移動局をページングするためのメッセージを生成し、前記メッセージの送信先の情報を決定する処理を実行するコントローラと、前記メッセージを送信する送信部と、を有する。【００１０】
また、本発明による移動通信システムは、無線基地局と、前記無線基地局と通信するゲートウェイ装置と、を有する移動通信システムであって、前記無線基地局は、前記無線基地局の周囲の環境に関する情報を前記ゲートウェイ装置に送信し、前記ゲートウェイ装置は、前記情報を受信する受信部と、前記情報に基づいて、前記無線基地局に在圏する移動局をページングするためのメッセージを生成し、前記メッセージの送信先の無線基地局を決定する処理を実行するコントローラと、前記メッセージを送信する送信部と、を有する。【００１１】
さらに、本発明によるページング方法は、無線基地局の周囲の環境に関する情報を記憶するステップと、前記情報に基づいて、前記無線基地局に在圏する移動局をページングするためのメッセージを生成し、前記メッセージの送信先の無線基地局を決定する処理を実行するステップと、前記特定の無線基地局に前記メッセージを送信するステップと、を有する。
【発明の効果】
【００１２】
本発明によれば、ページングを実施する無線基地局の数を削減することによる、ページングの最適化を実現することができる。
【図面の簡単な説明】
【００１３】
【図１】第１の実施形態による構成を示した図である。
【図２】第１の実施形態による動作を示したシーケンス図である。
【図３】第２の実施形態による構成を示した図である。
【図４Ａ】第２の実施形態による動作を示したシーケンス図である。
【図４Ｂ】第２の実施形態による動作を示したシーケンス図である。
【図５】第２の実施形態でＨｅＮＢがＨｅＮＢ−ＧＷに送信する情報の一例である。
【図６】第２の実施形態でＨｅＮＢがＨｅＮＢ−ＧＷに送信する情報の一例である。
【図７】第２の実施形態でＨｅＮＢがＨｅＮＢ−ＧＷに送信する情報の一例である。
【図８】第２の実施形態でＨｅＮＢがＨｅＮＢ−ＧＷに送信する情報の一例である。
【図９Ａ】第２の実施形態でＨｅＮＢがＨｅＮＢ−ＧＷに送信する情報の一例である。
【図９Ｂ】第２の実施形態でＨｅＮＢがＨｅＮＢ−ＧＷに送信する情報の一例である。
【図１０】第２の実施形態でＨｅＮＢがＨｅＮＢ−ＧＷに送信する情報の一例である。
【図１１Ａ】第３の実施形態による動作を示したシーケンス図である。
【図１１Ｂ】第３の実施形態による動作を示したシーケンス図である。
【図１２】第４の実施形態による動作を示したシーケンス図である。
【図１３】第４の実施形態でＭＭＥがＨｅＮＢ−ＧＷに送信する情報の一例である。
【図１４】第４の実施形態でＭＭＥがＨｅＮＢ−ＧＷに送信する情報の一例である。
【図１５】第４の実施形態でＭＭＥがＨｅＮＢ−ＧＷに送信する情報の一例である。
【図１６】第５の実施形態による動作を示したシーケンス図である。
【発明を実施するための形態】
【００１４】
以下に、本発明を実施するための形態について図面を参照して説明する。
【００１５】
（第１の実施形態）
［構成］
図１は、本発明の第１の実施形態によるゲートウェイ装置１０の構成の一例を示した図である。図１によれば、ゲートウェイ装置１０は、記憶部１１、処理部１２、送信部１３を含む。
【００１６】
記憶部１１は、無線基地局（不図示）の周囲の環境に関する情報を記憶する。処理部１２は、移動局が在圏した無線基地局の周囲の環境に関する情報に基づいて、移動局をページングするためのメッセージを送信する無線基地局を決定する。送信部１３は、処理部１２で決定した無線基地局にページングのメッセージを送信する。
【００１７】
［動作］
図２は、第１の実施形態によるゲートウェイ装置１０の動作を示したシーケンスの一例を示した図である。
【００１８】
まず、ゲートウェイ装置１０は、記憶部１１において、無線基地局の周囲の環境に関する情報を記憶する（Ｓ１１）。次に、ゲートウェイ装置１０は、処理部１２において、移動局が在圏した無線基地局の周囲の環境に関する情報に基づいて、ページングのメッセージを送信する対象となる無線基地局を決定する（Ｓ１２）。最後に、ゲートウェイ装置１０は、送信部１３において、Ｓ１２で決定した無線基地局にページングのメッセージを送信する。
【００１９】
［効果］
上記の通り、ゲートウェイ装置１０は、移動局が在圏した無線基地局の周囲の環境情報に基づいてページングのメッセージを送信する対象の無線基地局を決定する。そのため、ページングを実施する無線基地局の数を削減することが可能となり、ページングの最適化を実現することができる。
【００２０】
（第２の実施形態）
［構成］
図３は、本発明の第２の実施形態による移動通信システムの構成の一例を示した図である。図３によれば、移動通信システムは、ＨｅＮＢ−ＧＷ１００、ＭＭＥ２００、ＨｅＮＢ３００、ＨｅＮＢ３１０、ＨｅＮＢ３２０、ＨｅＮＢ３３０、およびＵＥ４００を含む。
【００２１】
ＨｅＮＢ−ＧＷ１００は、送受信部１０１、処理部１０２、および記憶部１０３を含む。ＨｅＮＢ−ＧＷ１００は、ＨｅＮＢ３００、ＨｅＮＢ３１０、およびＨｅＮＢ３２０と通信可能であり、Ｓ１ＡＰを用いたメッセージの送受信を行う。また、ＨｅＮＢ−ＧＷ１００は、ＭＭＥ２００との間でも同様にＳ１ＡＰを用いたメッセージの送受信を行う。ここで、ＨｅＮＢ−ＧＷ１００は、送受信部１０１にて情報の送受信処理を行い、処理部１０２にて送受信する情報の生成や解析の処理を行い、記憶部１０３にて送受信する情報を記憶する処理を行う。
【００２２】
ＭＭＥ２００は、送受信部２０１、処理部２０２、および記憶部２０３を含む。ＭＭＥ２００は、上述したＨｅＮＢ−ＧＷ１００との間でＳ１ＡＰを用いたメッセージの送受信を行うだけでなく、ＨｅＮＢ３３０との間でもＨｅＮＢ−ＧＷ１００を介さずにＳ１ＡＰを用いた通信が可能である。ここでＭＭＥ２００は、送受信部２０１にて情報の送受信処理を行い、処理部２０２にて送受信する情報の生成や解析の処理を行い、記憶部２０３にて送受信する情報を記憶する処理を行う。
【００２３】
ＨｅＮＢ３００は、送受信部３０１、処理部３０２、および記憶部３０３を含む。ＨｅＮＢ３１０、ＨｅＮＢ３２０、およびＨｅＮＢ３３０も同様である。ＨｅＮＢは、ＨｅＮＢ３３０のように上位ノードとしてＭＭＥ２００と通信する場合と、ＨｅＮＢ３００、ＨｅＮＢ３１０、およびＨｅＮＢ３２０のように上位ノードとしてＨｅＮＢ−ＧＷ１００と通信する場合とがある。ＨｅＮＢは、これら上位ノードとの間でＳ１ＡＰを用いたメッセージの送受信を行う。さらにＨｅＮＢ３００は、無線でＵＥ４００と通信可能であり、そのインターフェースはＵｕと定義される。ＨｅＮＢ３００は、送受信部３０１にて情報の送受信処理を行い、処理部３０２にて送受信する情報の生成や解析の処理を行い、記憶部３０３にて送受信する情報を記憶する処理を行う。ＨｅＮＢ３１０、ＨｅＮＢ３２０、およびＨｅＮＢ３３０も同様である。
【００２４】
ＵＥ４００は、送受信部４０１、処理部４０２、および記憶部４０３を含む。ＵＥ４００は、上述したようにＨｅＮＢ３００との間で無線による通信を行う。ここで、ＵＥ４００は、送受信部４０１にて情報の送受信処理を行い、処理部４０２にて送受信する情報の生成や解析の処理を行い、記憶部４０３にて送受信する情報を記憶する処理を行う。
【００２５】
［動作］
図４Ａおよび図４Ｂは、本発明の第２の実施形態による動作のシーケンスの一例を示す図である。以下、図を参照してＨｅＮＢ３００、ＨｅＮＢ−ＧＷ１００、およびＭＭＥ２００の動作を説明する。
【００２６】
まず図４Ａにおいて、ＨｅＮＢ３００とＨｅＮＢ−ＧＷ１００との間でＳ１接続が確立していない場合の動作フローを説明する（Ｓ１１０）。ＨｅＮＢ３００は、ＨｅＮＢ−ＧＷ１００に対して、Ｓ１  ＳＥＴＵＰ  ＲＥＱＵＥＳＴメッセージを送信する（Ｓ１１１）。なお、ＨｅＮＢ３１０およびＨｅＮＢ３２０も、ＨｅＮＢ３００と同様の動作をする。当該メッセージは、Ｓ１接続を確立するために、トランスポートネットワークレイヤ（ＴＮＬ：Transport Network Layer）の接続が利用可能となった後はじめてＨｅＮＢがＨｅＮＢ−ＧＷに送信するメッセージであり、その詳細は非特許文献３に記載されている。当該メッセージにより、ＨｅＮＢ３００は、無線基地局の識別情報であるｅＮＢ  Ｉｄｅｎｔｉｔｙと、無線基地局の周囲の環境に関する情報であるｅＮＢ  Ｅｎｖｉｒｏｎｍｅｎｔ  ＩｎｆｏｒｍａｔｉｏｎをＨｅＮＢ−ＧＷ１００に通知する。これらの情報の詳細は後述する。次に、ＨｅＮＢ−ＧＷ１００は、上記メッセージを受信したＨｅＮＢの各々のｅＮＢ  Ｅｎｖｉｒｏｎｍｅｎｔ  Ｉｎｆｏｒｍａｔｉｏｎを記憶しておく（Ｓ１１２）。続いて、ＨｅＮＢ-ＧＷ１００は受信したメッセージをＭＭＥ２００に送信する（Ｓ１１３）。
【００２７】
一方、ＨｅＮＢ３００とＨｅＮＢ−ＧＷ１００との間で既にＳ１接続が確立している場合の動作フローを説明する（Ｓ１２０）。ＨｅＮＢ３００は、ＨｅＮＢ−ＧＷ１００に対して、ＥＮＢ  ＣＯＮＦＩＧＵＲＡＴＩＯＮ  ＵＰＤＡＴＥメッセージを送信する(Ｓ１２１)。なお、ＨｅＮＢ３１０およびＨｅＮＢ３２０も、ＨｅＮＢ３００と同様の動作をする。ＥＮＢ  ＣＯＮＦＩＧＵＲＡＴＩＯＮ  ＵＰＤＡＴＥメッセージの詳細は、非特許文献３に記載されている。当該メッセージにより、ＨｅＮＢ３００は、無線基地局の識別情報であるｅＮＢ  Ｉｄｅｎｔｉｔｙと、無線基地局の周囲の環境に関する情報であるｅＮＢ  Ｅｎｖｉｒｏｎｍｅｎｔ  ＩｎｆｏｒｍａｔｉｏｎをＨｅＮＢ−ＧＷ１００に通知する。これらの情報の詳細は後述する。続くＳ１２２とＳ１２３の動作は前述のＳ１１２とＳ１１３の動作と同様であるため説明を省略する。
【００２８】
ここで、前述のｅＮＢ  ＩｄｅｎｔｉｔｙとｅＮＢ  Ｅｎｖｉｒｏｎｍｅｎｔ  Ｉｎｆｏｒｍａｔｉｏｎについて図５から図１０を参照して説明する。
【００２９】
図５はＳ１  ＳＥＴＵＰ ＲＥＱＵＥＳＴメッセージの情報要素（ＩＥ：Information Element）の一例を示した図である。また、図６はＥＮＢ  ＣＯＮＦＩＧＵＲＡＴＩＯＮ  ＵＰＤＡＴＥのＩＥの一例を示した図である。両メッセージに含まれる、ｅＮＢ  ＩｄｅｎｔｉｔｙおよびｅＮＢ  Ｅｎｖｉｒｏｎｍｅｎｔ  Ｉｎｆｏｒｍａｔｉｏｎについて、以下に詳述する。
【００３０】
図７は、ｅＮＢ  Ｉｄｅｎｔｉｔｙに含まれるＩＥの詳細の一例を示す図である。ここで、ｅＮＢ  Ｉｄｅｎｔｉｔｙは、無線基地局を識別するためのＩＥである。
【００３１】
図８は、ｅＮＢ  Ｅｎｖｉｒｏｎｍｅｎｔ  Ｉｎｆｏｒｍａｔｉｏｎの詳細の一例を示す図である。ここで、ｅＮＢ  Ｅｎｖｉｒｏｎｍｅｎｔ  Ｉｎｆｏｒｍａｔｉｏｎは、無線環境に関する情報であるＲａｄｉｏ  Ｉｎｆｏｒｍａｔｉｏｎと、無線環境以外に関する情報であるＮｏｎ  Ｒａｄｉｏ  Ｉｎｆｏｒｍａｔｉｏｎとから構成される。
【００３２】
図９Ａおよび図９Ｂは、Ｒａｄｉｏ  Ｉｎｆｏｒｍａｔｉｏｎに含まれるＩＥの詳細の一例を示す図である。Ｅ−ＵＴＲＡＮ  Ｃｅｌｌ  ＩＤ  ＩｎｆｏｒｍａｔｉｏｎのＩＥは、Ｅ−ＵＴＲＡＮ（Enhanced Universal Terrestrial Radio Access Network）のセルに関する各種情報を含む。ＵＴＲＡＮ  Ｃｅｌｌ  ＩＤ  ＩｎｆｏｒｍａｔｉｏｎのＩＥは、ＵＴＲＡＮ（Universal Terrestrial Radio Access Network）のセルに関する各種情報を含む。ＧＥＲＡＮ  Ｃｅｌｌ  ＩＤ  ＩｎｆｏｒｍａｔｉｏｎのＩＥは、ＧＥＲＡＮ（Global System for Mobile Communications EDGE Radio Access Network）のセルに関する各種情報を含む。ＷｉＭＡＸ  ｂａｓｅ  ｓｔａｔｉｏｎｓ  ＩｎｆｏｒｍａｔｉｏｎのＩＥは、ＷｉＭＡＸ（Worldwide Interoperability for Microwave Access）の基地局に関する各種情報を含む。Ｗｉｒｅｌｅｓｓ  Ｉｎｔｅｒｎｅｔ  ｈｏｔｓｐｏｔｓ  ＩｎｆｏｒｍａｔｉｏｎのＩＥは、無線インターネットホットスポットに関する各種情報を含む。Ｔｅｌｅｖｉｓｉｏｎ  ｓｔａｔｉｏｎｓ  ＩｎｆｏｒｍａｔｉｏｎのＩＥは、テレビ局に関する各種情報を含む。Ｒａｄｉｏ  Ｓｔａｔｉｏｎｓ  ＩｎｆｏｒｍａｔｉｏｎのＩＥは、ラジオ局に関する各種情報を含む。ＧＰＳ ＩｎｆｏｒｍａｔｉｏｎのＩＥは、ＧＰＳ（Global Positioning System）に関する各種情報を含む。なお、当該ＧＰＳに関する情報には、図９Ｂに示すように、位置情報、例えば緯度、経度、および高度などが含まれるが、これらの情報は必ずしも無線基地局に搭載されたＧＰＳを利用して取得された情報だけに限らない。当該無線基地局のＯ＆Ｍ（Operation and Maintenance）の装置から設定された情報であってもよいし、無線基地局の保守者が手動で設定したものであってもよい。
【００３３】
図１０は、Ｎｏｎ  Ｒａｄｉｏ  Ｉｎｆｏｒｍａｔｉｏｎに含まれるＩＥの詳細の一例を示す図である。ＣＨＯＩＣＥ ＩＰ Ａｄｄｒｅｓｓは、無線基地局に割り当てられるＩＰ（Internet Protocol）アドレスを示すＩＥである。Ｐｈｏｎｅ  ｎｕｍｂｅｒ、Ａｄｄｒｅｓｓ、Ｐｏｓｔｃｏｄｅは、それぞれ、無線基地局が設置される場所に関する電話番号、住所、および郵便番号を示すＩＥである。ＨｅＮＢ−ＧＷ  ＩＤは、無線基地局がＨｅＮＢである場合に、当該ＨｅＮＢが直前に接続していたＨｅＮＢ−ＧＷの識別情報を示すＩＥである。
【００３４】
さて、図４Ｂを参照して、引き続き動作フローを説明する。ＨｅＮＢ−ＧＷ１００は、ＵＥ４００がどのＨｅＮＢのセルに在圏するかを認識し、在圏するＨｅＮＢがＨｅＮＢ３００、ＨｅＮＢ３１０、ＨｅＮＢ３２０のいずれであるかを記憶しておく（Ｓ２０１）。
【００３５】
次に、ページングを実施するときの動作フローを説明する。まず、ＨｅＮＢ−ＧＷ１００は、ＭＭＥ２００からＵＥ４００をページングするためのＰＡＧＩＮＧメッセージを受信する（Ｓ２１１）。ＰＡＧＩＮＧメッセージの詳細は、非特許文献３に記載されている。
【００３６】
続いて、ＨｅＮＢ−ＧＷ１００は、Ｓ２０１で記憶したＨｅＮＢに関する、Ｓ１１２またはＳ１２２で記憶したｅＮＢ  Ｅｎｖｉｒｏｎｍｅｎｔ  Ｉｎｆｏｒｍａｔｉｏｎに基づいて、ＰＡＧＩＮＧメッセージを送信するＨｅＮＢを決定する（Ｓ２１２）。例えば、ＵＥ４００が最後に在圏したＨｅＮＢがＨｅＮＢ３００であった場合を考える。ＨｅＮＢ３１０がＨｅＮＢ３００と類似するｅＮＢ  Ｅｎｖｉｒｏｎｍｅｎｔ  Ｉｎｆｏｒｍａｔｉｏｎを持つ場合には、ＨｅＮＢ−ＧＷ１００はＰＡＧＩＮＧメッセージを送信するＨｅＮＢをＨｅＮＢ３００とＨｅＮＢ３１０に決定する。
【００３７】
より具体的に説明すると、例えばｅＮＢ  Ｅｎｖｉｒｏｎｍｅｎｔ  ＩｎｆｏｒｍａｔｉｏｎのうちのＧＰＳ  Ｉｎｆｏｒｍａｔｉｏｎにおける緯度・経度に関して、ＨｅＮＢ３００の値と近い値をとるのがＨｅＮＢ３１０のみの場合、ＰＡＧＩＮＧメッセージを送信するＨｅＮＢは、ＨｅＮＢ３１０とＨｅＮＢ３００と決定する。また、緯度・経度の情報の代わりに、住所、電話番号、または郵便番号の値を用いて同様に決定してもよい。その他、ＩＰアドレスの値が近似するＨｅＮＢを、ＰＡＧＩＮＧメッセージを送信するＨｅＮＢに決定することもできる。ここでＩＰアドレスが近似するかどうかは、アドレス空間上で近い値をとるＩＰアドレスから判断してもよい。また、ＩＰアドレスを割り当てるプロバイダがＩＰアドレスの値に地域性を持たせて決定している場合はそれを利用することもできる。さらに、ＩＰｓｅｃ（Security Architecture for Internet Protocol）トンネルを確立したときに割り当てたときの各ＨｅＮＢのＩＰアドレスを記憶しておき、ＵＥが最後に在圏したＨｅＮＢの当該ＩＰアドレスに基づいてＰＡＧＩＮＧメッセージを送信するＨｅＮＢを決定してもよい。このように、ＨｅＮＢ−ＧＷ１００は、図８から図１０に示したいずれの情報要素に基づいてＰＡＧＩＮＧメッセージを送信するＨｅＮＢを決定してもよいし、複数の情報要素を組み合わせて条件判断をして決定してもよい。
【００３８】
次に、ＨｅＮＢ−ＧＷ１００は、Ｓ２１２で決定したＨｅＮＢに対して、ＰＡＧＩＮＧメッセージを送信する（Ｓ２１３）。
【００３９】
［効果］
以上のように、第１の実施形態にかかるＨｅＮＢ−ＧＷは、ページングの対象となるＵＥが最後に在圏していたＨｅＮＢの周囲の環境に関する情報と近似する周囲の環境に関する情報を有するＨｅＮＢに対して、ページングのメッセージを送信する。したがって、ＵＥが最後に在圏していたＨｅＮＢのエリアから移動していたとしても、その近傍のＨｅＮＢがページングをするのでページングが成功する可能性は高い。加えて、ＨｅＮＢ−ＧＷがＴＡＩ  Ｌｉｓｔに基づいてそのＴＡＩを持つ全てのＨｅＮＢにページングメッセージを送信する場合に比べて、メッセージの数を削減することができるため、ページングの最適化を実現することができる。
【００４０】
その他、Ｓ２１２においてＨｅＮＢを決定する際の判断基準となる、ｅＮＢ  Ｅｎｖｉｒｏｎｍｅｎｔ  Ｉｎｆｏｒｍａｔｉｏｎの値の範囲を適宜変更することにより、ページングを実施するＨｅＮＢの数および範囲を段階的に調整することが可能である。
【００４１】
（第３の実施形態）
［構成］
第３の実施形態による移動通信システムの構成は、第２の実施形態と同様であるため、説明を省略する。
【００４２】
［動作］
図１１Ａおよび図１１Ｂは、本発明の第３の実施形態による動作のシーケンスの一例を示す図である。以下、図を参照してＨｅＮＢ３００、ＨｅＮＢ−ＧＷ１００、およびＭＭＥ２００の動作を説明する。
【００４３】
まず図１１Ａにおいて、ＨｅＮＢ−ＧＷ１００は、ｅＮＢ  ＩｄｅｎｔｉｔｙとｅＮＢ  Ｅｎｖｉｒｏｎｍｅｎｔ  Ｉｎｆｏｒｍａｔｉｏｎの少なくとも一方の所定の値と、置換用ＥＣＧＩの所定の値とを対応付ける情報を内部に記憶する（Ｓ３０１）。ここで、ＥＣＧＩ（E-UTRAN Cell Global Identifier）は、ＨｅＮＢ毎に異なる値をとるセルの識別子である。置換用ＥＣＧＩは、当該ＥＣＧＩを置き換えて使用するための識別子であって、複数のＨｅＮＢのＥＣＧＩと１つの置換用ＥＣＧＩとが対応付けられてもよい。ここで、ＨｅＮＢ−ＧＷ１００は、対応付けに関する情報を他の装置からネットワーク経由で取得してもよいし、保守者による設定により取得してもよく、その方法は問わない。また対応付けは、例えば、ｅＮＢ  Ｉｄｅｎｔｉｔｙの値Ａ１またはＡ２と、置換用ＥＣＧＩの値Ｘ１とを対応付けることができる。また、ｅＮＢ  Ｅｎｖｉｒｏｎｍｅｎｔ  Ｉｎｆｏｒｍａｔｉｏｎの所定の情報要素の値Ｂ１〜Ｂ５と、置換用ＥＣＧＩの値Ｘ２とを対応付けることができる。その他、ｅＮＢ  Ｉｄｅｎｔｉｔｉｙの値Ａ３かつｅＮＢ  Ｅｎｖｉｒｏｎｍｅｎｔ  Ｉｎｆｏｒｍａｔｉｏｎの所定の情報要素の値Ｂ６と、置換用ＥＣＧＩの値Ｘ３とを対応付けるなど、ｅＮＢ  Ｉｄｅｎｔｉｔｙの値とｅＮＢ  Ｅｎｖｉｒｏｎｍｅｎｔ  Ｉｎｆｏｒｍａｔｉｏｎの所定の情報要素の値とを組み合わせて、置換用ＥＣＧＩと対応付けてもよい。
【００４４】
続く動作は、ＨｅＮＢ３００とＨｅＮＢ−ＧＷ１００との間でＳ１接続が確立している場合（Ｓ３１０）と確立していない場合（Ｓ３２０）とで異なるため、以下に場合を分けて説明する。
【００４５】
Ｓ１接続が確立していない場合（Ｓ３１０）、ＨｅＮＢ３００は、ＨｅＮＢ−ＧＷ１００に対して、Ｓ１  ＳＥＴＵＰ ＲＥＱＵＥＳＴメッセージを送信する（Ｓ３１１）。本動作は、第２の実施形態と同様であるため、詳細の説明は省略する。続いて、ＨｅＮＢ−ＧＷ１００は、受信したＳ１  ＳＥＴＵＰ ＲＥＱＵＥＳＴメッセージに基づいて、メッセージを送信した各ＨｅＮＢについて各々対応するＥＣＧＩを決定する（Ｓ３１２）。例えば、上記の例における置換用ＥＣＧＩの値は、メッセージに含まれるｅＮＢ  Ｉｄｅｎｔｉｔｙの値がＡ２の場合には、Ｘ１に決定する。同様に、ｅＮＢ  Ｅｎｖｉｒｏｎｍｅｎｔ  Ｉｎｆｏｒｍａｔｉｏｎの所定の情報要素の値がＢ１の場合には、置換用ＥＣＧＩはＸ２に決定する。さらに、ｅＮＢ  Ｉｄｅｎｔｉｔｙの値がＡ３でかつｅＮＢ  Ｅｎｖｉｒｏｎｍｅｎｔ  Ｉｎｆｏｒｍａｔｉｏｎの所定の情報要素の値がＢ６の場合には、置換用ＥＣＧＩはＸ３に決定する。なお、ＨｅＮＢ−ＧＷ１００は、ｅＮＢ  ＩｄｅｎｔｉｔｙとｅＮＢ  Ｅｎｖｉｒｏｎｍｅｎｔ  Ｉｎｆｏｒｍａｔｉｏｎのうち、両方を用いて置換用ＥＣＧＩを決定してもよいし、どちらか一方のみを用いて決定してもよい。続いて、ＨｅＮＢ３００は、受信したメッセージをＭＭＥ２００に送信する（Ｓ３１３）。
【００４６】
次に、ＨｅＮＢ３００とＨｅＮＢ−ＧＷ１００との間で既にＳ１接続が確立している場合の動作フローを説明する（Ｓ３２０）。ＨｅＮＢ３００は、ＨｅＮＢ−ＧＷ１００に対して、ＥＮＢ  ＣＯＮＦＩＧＵＲＡＴＩＯＮ  ＵＰＤＡＴＥメッセージを送信する(Ｓ３２１)。本動作は、第２の実施形態と同様であるため、詳細の説明は省略する。続いて、ＨｅＮＢ−ＧＷ１００は、受信したＥＮＢ  ＣＯＮＦＩＧＵＲＡＴＩＯＮ  ＵＰＤＡＴＥメッセージに基づいて、メッセージを送信した各ＨｅＮＢについて各々対応するＥＣＧＩを決定する（Ｓ３２２）。本動作はＳ３１２と同様であるため、説明は省略する。続いて、ＨｅＮＢ３００は、受信したメッセージをＭＭＥ２００に送信する（Ｓ３３３）。
【００４７】
引き続き、図１１Ｂを参照しながら動作フローを説明する。ＨｅＮＢ−ＧＷ１００は、ＵＥ４００がどのＨｅＮＢのセルに在圏するかを認識しておき、在圏したＨｅＮＢがＨｅＮＢ３００、ＨｅＮＢ３１０、ＨｅＮＢ３２０のいずれであるかを記憶しておく（Ｓ４０１）。本動作は、第２の実施形態と同様である。
【００４８】
次に、ページングを実施するときの動作フローを説明する。まず、ＨｅＮＢ−ＧＷ１００は、ＵＥ４００をページングするためのＰＡＧＩＮＧメッセージをＭＭＥ２００から受信する（Ｓ４１１）。
【００４９】
続いて、ＨｅＮＢ−ＧＷ１００は、Ｓ４０１で記憶したＨｅＮＢに関する、Ｓ３１２またはＳ３２２で決定した置換用ＥＣＧＩに基づいて、ＰＡＧＩＮＧメッセージを送信するＨｅＮＢを決定する（Ｓ４１２）。例えば、ＵＥ４００が最後に在圏したＨｅＮＢがＨｅＮＢ３００であった場合を考える。ＨｅＮＢ３００の置換用ＥＣＧＩの値が、ＨｅＮＢ３１０の置換用ＥＣＧＩと同一であってＨｅＮＢ３２０の置換用ＥＣＧＩとは異なる値である場合、ＨｅＮＢ−ＧＷ１００はＰＡＧＩＮＧメッセージを送信するＨｅＮＢをＨｅＮＢ３１０とＨｅＮＢ３００に決定する。
【００５０】
次に、ＨｅＮＢ−ＧＷ１００は、Ｓ４１２で決定したＨｅＮＢに対して、ＰＡＧＩＮＧメッセージを送信する（Ｓ４１３）。
【００５１】
［効果］
以上のように、第３の実施形態にかかるＨｅＮＢ−ＧＷは、ページング対象となるＵＥが最後に在圏していたＨｅＮＢの置換用ＥＣＧＩと等しい置換用ＥＣＧＩの値をとるＨｅＮＢに対して、ページングのメッセージを送信する。また、ＨｅＮＢの周囲の環境に関する情報が近似するＨｅＮＢは、同一の置換用ＥＣＧＩをとる。したがって、第３の実施形態にかかる発明は、第２の実施形態にかかる発明と同様の効果を有する。
【００５２】
また、第２の実施形態では、ＨｅＮＢ−ＧＷはＭＭＥからページングのメッセージを受信した時に最後に在圏していたＨｅＮＢの周囲の環境情報に基づいて、ページングのメッセージを送信するＨｅＮＢを決定する処理をする必要があった。しかしながら、第３の実施形態では、ＨｅＮＢ−ＧＷがＭＭＥからページングのメッセージを受信する前に、既にＨｅＮＢの周囲の環境に関する情報に基づいて別の識別子を作成して記憶していることから、その識別子を利用してページングのメッセージを送信するＨｅＮＢを決定することができる。
【００５３】
（第４の実施形態）
第４の実施形態にかかる発明は、所定の条件を満たした場合にのみ、第２および第３の実施形態におけるページングの最適化の動作をするものである。上述したようにページングのメッセージを削減することが必要とされるが、削減しすぎると別の課題が生じる。例えば、ＵＥが最後に在圏した無線基地局から遠くに移動することにより、削減したページングのメッセージでのページングが成功しない場合、通常通りのＴＡＩ  Ｌｉｓｔに基づくページングを再度実施することになり、サービス遅延の問題が生じる。音声通信のようにページングの再実施がユーザ経験に悪影響を及ぼす場合もあれば、メール受信やＭ２Ｍ（Machine-to-Machine）と呼ばれる機械間通信のようにページングの再実施がユーザ経験にそれほど悪影響を及ぼさない場合もある。本実施形態にかかる発明は、上述した課題を解決しようとするものである。
【００５４】
［構成］
第４の実施形態による移動通信システムの構成は、第２の実施形態と同様であるため、説明を省略する。
【００５５】
［動作］
図１２は、本発明の第４の実施形態による動作のシーケンスの一例を示す図である。以下、図を参照してＨｅＮＢ３００、ＨｅＮＢ−ＧＷ１００、およびＭＭＥ２００の動作を説明する。
【００５６】
本実施形態では、図１２の動作を実施する前に、図４Ａまたは図１１Ａの動作を実施する。これらの動作は、第２の実施形態または第３の実施形態と同様であるので説明を省略する。
【００５７】
まず、ＨｅＮＢ−ＧＷ１００は、ＵＥ４００がどのＨｅＮＢのセルに在圏するかを認識しておき、在圏したＨｅＮＢがＨｅＮＢ３００、ＨｅＮＢ３１０、ＨｅＮＢ３２０のいずれであるかを記憶しておく（Ｓ５０１）。本動作は、第２の実施形態と同様である。
【００５８】
次に、ページングを実施するときの動作フローを説明する。まず、ＨｅＮＢ−ＧＷ１００は、ＭＭＥ２００からＵＥ４００をページングするためのＰＡＧＩＮＧメッセージを受信する（Ｓ５１１）。
【００５９】
ここで図１３から図１５は、ＰＡＧＩＮＧメッセージの情報要素の一例を示す図である。図１３の情報要素であるＳｅｒｖｉｃｅ  Ｔｙｐｅ  Ｉｎｆｏの詳細を定義したものが図１４であり、同じくＣａｌｌｉｎｇ  Ｐａｒｔｙ  Ｔｙｐｅ  Ｉｎｆｏの詳細を定義したものが図１５である。情報要素の詳細については後述する。
【００６０】
続いて、ＨｅＮＢ−ＧＷ１００は、ＰＡＧＩＮＧメッセージに含まれる所定の情報要素の値が所定の条件を満たすか否かを判断し（Ｓ５１２）、満たす場合はページングの最適化の動作をし（Ｓ５２０）、満たさない場合は示す通常のページングの動作をする（Ｓ５３０）。
【００６１】
Ｓ５１２における判断に使用する情報要素は、例えば、ＱｏＳ（Quality of Service）のクラスを示す情報であるＱＣＩ  Ｉｎｆｏ（QoS Class Identifier）とすることができる。この場合、例えばＱＣＩ  Ｉｎｆｏの値がＴＣＰ（Transmission Control Protocol）−ｂａｓｅｄを示す場合には、ページング最適化によりシステム負荷を軽減すべく、Ｓ５１２において条件を満たすと判断する。ここでＴＣＰ−ｂａｓｅｄとは、例えばＷＷＷ（World Wide Web）、ｅ−ｍａｉｌ、ｃｈａｔ、ｆｔｐ（File Transfer Protocol）、ｐ２ｐ（Peer to Peer）  ｆｉｌｅ  ｓｈａｒｉｎｇ、ｐｒｏｇｒｅｓｓｉｖｅ  ｖｉｄｅｏを意味する。一方、ＱＣＩ  Ｉｎｆｏの値がＣｏｎｖｅｒｓａｔｉｏｎａｌ  Ｖｏｉｃｅ、すなわち音声通話を示す場合には、ページングの再実施によるサービス遅延を避けるため、Ｓ５１２において条件を満たさないと判断する。
【００６２】
また、Ｓ５１２における判断に使用する情報要素は、呼のサービス種別を示す情報であるＳｅｒｖｉｃｅ  Ｔｙｐｅ  Ｉｎｆｏとすることができる。この場合、例えばＳｅｒｖｉｃｅ  Ｔｙｐｅ  Ｉｎｆｏの値がｅ−ｍａｉｌを示す場合には、ページングの再実施によるサービスの遅延はそれほど問題にはならないため、ページングの最適化によりシステム負荷を軽減させることを優先して、Ｓ５１２において条件を満たすと判断する。一方、Ｓｅｒｖｉｃｅ  Ｔｙｐｅ  Ｉｎｆｏの値がＶｏＩＰ（Voice over Internet Protocol）を示す場合には、ページングの再実施によるサービス遅延を避けるため、Ｓ５１２において条件を満たさないと判断する。
【００６３】
その他、Ｓ５１２における判断に使用する情報要素は、発呼者の種別を示す情報であるＣａｌｌｉｎｇ  Ｐａｒｔｙ  Ｔｙｐｅ  Ｉｎｆｏとすることができる。この場合、例えばＣａｌｌｉｎｇ  Ｐａｒｔｙ  Ｔｙｐｅ  Ｉｎｆｏの値がＭａｃｈｉｎｅを示す場合には、ページングを再実施することになってもサービスの遅延はそれほど問題にはならないため、ページングの最適化によりシステム負荷を軽減させることを優先して、Ｓ５１２において条件を満たすと判断する。一方、Ｓｅｒｖｉｃｅ  Ｔｙｐｅ  Ｉｎｆｏの値がＶｏＩＰ（Voice over Internet Protocol）を示す場合には、ページングの再実施によるサービス遅延を避けるため、Ｓ５１２において条件を満たさないと判断する。
【００６４】
さらに、Ｓ５１２において、ページングの優先度を示す情報要素であるＰａｇｉｎｇ  Ｐｒｉｏｒｉｔｙに基づいて条件判断をすることもできる。また、以上例示した情報要素を単独で条件判断に使用するだけでなく、複数の情報要素を組み合わせて判断してもよい。
【００６５】
続いて、Ｓ５１２で条件を満たすと判断した場合の動作を説明する（Ｓ５２０）。ＨｅＮＢ−ＧＷ１００は、ページングの最適化処理に基づいて、ＰＡＧＩＮＧメッセージを送信するＨｅＮＢを決定し（Ｓ５２１）、決定したＨｅＮＢにメッセージを送信する（Ｓ５２２）。ここで、ページングの最適化処理は、より具体的には、第２の実施形態における図４ＢのＳ２１２の動作、または第３の実施形態における図１１ＢのＳ４１２の処理と同様であるため説明を省略する。
【００６６】
一方、Ｓ５１２で条件を満たさないと判断した場合の動作を説明する（Ｓ５３０）。ＨｅＮＢ−ＧＷ１００は、通常のページング処理に基づいて、ＰＡＧＩＮＧメッセージを送信するＨｅＮＢを決定し（Ｓ５３１）、決定したＨｅＮＢにメッセージを送信する（Ｓ５３２）。ここで、通常のページング処理は、より具体的には、ＰＡＧＩＮＧメッセージに含まれる情報要素であるＴＡＩ Ｌｉｓｔで指定されたＴＡＩを持つ全てのＨｅＮＢを、ＰＡＧＩＮＧメッセージを送信するＨｅＮＢとして決定する処理である。
【００６７】
［効果］
以上のように、第４の実施形態にかかるＨｅＮＢ−ＧＷは、ＭＭＥから受信したページングのメッセージに含まれる情報要素の値に基づいて、ページングの最適化処理を実施するか、通常のページング処理を実施するかを決定する。したがって、実施しようとするページングの種類に応じて、最適化処理によるページングに失敗して再度ページングを実施することによるサービス遅延の発生を回避することができる。
【００６８】
（第５の実施形態）
第５の実施形態にかかる発明は、第２から第４の実施形態において、ＵＥ４００が最後に在圏したＨｅＮＢをＨｅＮＢ−ＧＷ１００が記憶する動作、すなわち図４ＢのＳ２０１、図１１ＢのＳ４０１、および図１２のＳ５０１を、より具体化し工夫したものである。ＨｅＮＢ−ＧＷ１００が、ＵＥ４００が在圏するＨｅＮＢの情報を頻繁に取得できない場合には、古い情報に基づいてページングの最適化動作をすることになる。そうすると、ＵＥ４００は最後に在圏したＨｅＮＢ−ＧＷのセルのエリアから移動しており、ページングに失敗する可能性が高くなる。本実施形態にかかる発明は、上述した課題を解決しようとするものである。
【００６９】
［構成］
第５の実施形態による移動通信システムの構成は、第２の実施形態と同様であるため、説明を省略する。
【００７０】
［動作］
図１６は、本発明の第５の実施形態による動作のシーケンスの一例を示す図である。以下、図を参照してＨｅＮＢ３００、ＨｅＮＢ−ＧＷ１００、およびＭＭＥ２００の動作を説明する。
【００７１】
本実施形態では、図１６の動作を実施する前に、図４Ａまたは図１１Ａの動作を実施する。これらの動作は、第２の実施形態または第３の実施形態と同様であるので説明を省略する。
【００７２】
まず、ＵＥ４００とＨｅＮＢ３００との間でＲＲＣ（Radio Resource Control）接続を確立する（Ｓ６０１）。その詳細は当業者によく知られており本発明とは直接関係しないため、説明を省略する。
【００７３】
次に、ＨｅＮＢ３００は、ＨｅＮＢ−ＧＷ１００に対して、ＩＮＩＴＩＡＬ  ＵＥ  ＭＥＳＳＡＧＥのメッセージを送信する（Ｓ６０２）。ＩＮＩＴＩＡＬ  ＵＥ  ＭＥＳＳＡＧＥのメッセージの詳細は、非特許文献３に記載されている。ここで、当該メッセージには、ＨｅＮＢ３００を識別可能な情報であるＥＣＧＩと、ＵＥ４００を識別可能な情報であるＳ−ＴＭＳＩ（SAE Temporary Mobile Subscriber Identity）が含まれている。
【００７４】
続いて、ＨｅＮＢ−ＧＷ１００は、受信したメッセージに基づいてＥＣＧＩとＳ−ＴＭＳＩとの対応付けた情報を記憶する（Ｓ６０３）。こうすることにより、ＨｅＮＢ−ＧＷ１００は、ＵＥ４００と、ＵＥ４００が在圏したＨｅＮＢ３００とを対応付けて認識することが可能となる。
【００７５】
また、ＨｅＮＢ−ＧＷ１００は、タイマを起動し、タイマが満了した場合にはＳ６０３で記憶した対応付けの情報をクリアする処理をする（Ｓ６０４）。
【００７６】
さて、続いてページングが実施される場合の動作を説明する。まず、ＨｅＮＢ−ＧＷ１００は、ＭＭＥ２００からＰＡＧＩＮＧメッセージを受信する（Ｓ６１１）。当該メッセージには、ページング対象であるＵＥ４００のＳ−ＴＭＳＩが含まれている。
【００７７】
次に、ＨｅＮＢ−ＧＷ１００は、受信したメッセージに含まれるＳ−ＴＭＳＩと対応付けられたＥＣＧＩの情報が存在するか否かを判断する（Ｓ６１２）。ここで、Ｓ６０４で起動したタイマが満了する前であればＳ６０３で記憶した対応付け情報は存在し、タイマ満了によりクリアされていれば対応付け情報は存在しないことになる。
【００７８】
続いて、Ｓ６１２の判断の結果、対応付け情報が存在する場合にはページングの最適化の動作をする（Ｓ６２０）。ここでＳ６２０の動作は図１２のＳ５２０と同様であるため、説明は省略する。一方、Ｓ６１２の判断の結果、対応付け情報が存在しない場合には通常のページングの動作をする（Ｓ６３０）。ここでＳ６３０の動作は図１２のＳ５３０と同様であるため、説明は省略する。
【００７９】
［効果］
以上のように、第５の実施形態にかかるＨｅＮＢ−ＧＷは、ＲＲＣ接続を確立する際の動作シーケンスにおけるＩＮＩＴＩＡＬ  ＵＥ  ＭＥＳＳＡＧＥのメッセージに基づいて、ＵＥが在圏するＨｅＮＢを特定する。さらに、タイマを用いることにより、ＵＥが在圏するＨｅＮＢの情報が新しい場合のみ、当該ＨｅＮＢに基づくページングの最適化の動作を実施する。そのため、ＵＥが在圏するＨｅＮＢの情報が古い場合に当該情報に基づいてページングの最適化の動作をすることによってページングが失敗することを避けることができる。つまり、再度ページングを実施することによるサービス遅延の発生を回避することができる。また、第５の実施形態は、第２から第４の実施形態と組み合わせて実施することにより、第２から第４の実施形態にかかる効果も併せ持つことができる。
【００８０】
以上、本発明を好適な実施形態に基づき具体的に説明したが、本発明は上記のものに限定されるものではなく、その要旨を逸脱しない範囲で種々変更可能であることは言うまでもない。
【００８１】
例えば、第５の実施形態においては、ＵＥ４００の識別情報としてＳ−ＴＭＳＩを用いているが、その代わりにＩＭＳＩ(International Mobile Subscriber Identity)を用いてもよい。その他、Ｓ−ＴＭＳＩはＵＥを識別できる情報であればこれらに限られず、同様にＥＣＧＩもＨｅＮＢを識別できる情報であればこれに限られない。
【００８２】
また、３ＧＰＰで規定される移動通信システムでは、ＨｅＮＢ−ＧＷは必ずしも存在しない。このような場合、第２の実施形態において、ＨｅＮＢ３００はＭＭＥ２００との間でＳ１ＡＰを用いたメッセージの送受信をし、ＨｅＮＢ−ＧＷ１００の動作をＭＭＥ２００が行ってもよい。すなわち、本発明のＨｅＮＢ３００が通信する上位の装置は、ＨｅＮＢ−ＧＷ１００とＭＭＥ２００のいずれであってもよい。また、当該上位の装置がＭＭＥの場合には、ＨｅＮＢをｅＮＢに置き換えて本発明を適用することも可能である。
【００８３】
また、第２の実施形態では、本願発明をＵＥ、ＨｅＮＢ、ＨｅＮＢ−ＧＷ、およびＭＭＥから構成されるＬＴＥの移動通信システムに適用したが、本願発明をＵＥ、ＨＮＢ（Home Node B）、ＨＮＢ−ＧＷ（HNB Gateway）、およびＭＳＣ（Mobile Switching Center）／ＳＧＳＮ（serving GPRS support node）から構成される３Ｇ（3rd Generation）の移動通信システムに適用することも可能である。さらに、ＨＮＢやＨｅＮＢといったフェムト基地局ではなく、ＮＢ（Node B）やｅＮＢ（evolved Node B）といったマクロ基地局で構成される移動通信システムに本願発明を適用してもよい。
【００８４】
この出願は、２０１２年９月２５日に出願された日本出願特願２０１２−２１０７６７を基礎とする優先権を主張し、その開示の全てをここに取り込む。
【符号の説明】
【００８５】
１０    ゲートウェイ装置
１１    記憶部
１２    処理部
１３    送信部
１００    ＨｅＮＢ−ＧＷ
２００    ＭＭＥ
３００、３１０、３２０、３３０    ＨｅＮＢ
４００    ＵＥ
１０１、２０１、３０１、３１１、３２１、３３１、４０１    送受信部
１０２、２０２、３０２、３１２、３２２、３３２、４０２    処理部
１０３、２０３、３０３、３１３、３２３、３３３、４０３    記憶部
【図１】
2014050017.tif 000003
【図２】
2014050017.tif 000004
【図３】
2014050017.tif 000005
【図４Ａ】
2014050017.tif 000006
【図４Ｂ】
2014050017.tif 000007
【図５】
2014050017.tif 000008
【図６】
2014050017.tif 000009
【図７】
2014050017.tif 000010
【図８】
2014050017.tif 000011
【図９Ａ】
2014050017.tif 000012
【図９Ｂ】
2014050017.tif 000013
【図１０】
2014050017.tif 000014
【図１１Ａ】
2014050017.tif 000015
【図１１Ｂ】
2014050017.tif 000016
【図１２】
2014050017.tif 000017
【図１３】
2014050017.tif 000018
【図１４】
2014050017.tif 000019
【図１５】
2014050017.tif 000020
【図１６】
2014050017.tif 000021
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
無線基地局の周囲の環境に関する情報を記憶するメモリと、
前記情報に基づいて、前記無線基地局に在圏する移動局をページングするためのメッセージを生成し、前記メッセージの送信先の情報を決定する処理を実行するコントローラと、
前記メッセージを送信する送信部と、
を有するゲートウェイ装置。
【請求項２】
コアネットワーク装置からページングに関するメッセージを受信する受信部を有し、
前記受信したメッセージに含まれる所定の情報の値が所定の条件を満たしたときに、前記コントローラが前記処理を実行する、
請求項１に記載のゲートウェイ装置。
【請求項３】
前記所定の情報は、
前記ページングにおける呼のＱｏＳ（Quality of Service）のクラスを示す情報、
呼のサービス種別を示す情報、または
発呼者の種別を示す情報、
のうちの少なくとも１つを含む、
請求項２に記載のゲートウェイ装置。
【請求項４】
前記受信部は、前記無線基地局からメッセージを受信し、
前記受信したメッセージは、前記移動局の識別子と前記無線基地局の識別子とを対応付けた情報とを含み、
前記コントローラは、前記受信したメッセージに基づいて、前記移動局が在圏した前記無線基地局を識別する、
請求項２又は３に記載の、ゲートウェイ装置。
【請求項５】
前記コントローラは、
所定の時間が経過したときに前記対応付けた情報を削除する、
請求項４に記載のゲートウェイ装置。
【請求項６】
移動通信システムはThird Generation Partnership Project（３ＧＰＰ）で規定されるLong Term Evolution（ＬＴＥ）の移動通信システムであり、
前記移動局は、User Equipment（ＵＥ）であり、
前記無線基地局はHome evolved Node B（ＨｅＮＢ）であり、
前記ゲートウェイ装置はHeNB Gateway（ＨｅＮＢ−ＧＷ）である、
請求項１から５のいずれか１項に記載のゲートウェイ装置。
【請求項７】
前記周囲の環境に関する情報は、
前記無線基地局の周囲の無線環境に関する情報であって、
Enhanced Universal Terrestrial Radio Access Network（Ｅ−ＵＴＲＡＮ）のセルに関する情報、
Universal Terrestrial Radio Access Network（ＵＴＲＡＮ）のセルに関する情報、
Global System for Mobile Communications EDGE Radio Access Network（ＧＥＲＡＮ）のセルに関する情報、
Worldwide Interoperability for Microwave Access（ＷｉＭＡＸ）の基地局に関する情報、
無線インターネットホットスポットに関する情報、
テレビ局に関する情報、
ラジオ局に関する情報、及び
ＧＰＳに関する情報、
のうちの少なくとも１つを含む、
請求項１から６のいずれか１項に記載のゲートウェイ装置。
【請求項８】
前記周囲の環境に関する情報は、
前記無線基地局に割り当てられるＩＰアドレス、
前記無線基地局が設置される場所に関する住所、
郵便番号、
電話番号、または
前記無線基地局に直前に接続されていたゲートウェイ装置の識別情報
のうちの少なくとも１つを含む、
請求項１から７のいずれか１項に記載のゲートウェイ装置。
【請求項９】
無線基地局と、前記無線基地局と通信するゲートウェイ装置と、を有する移動通信システムであって、
前記無線基地局は、
前記無線基地局の周囲の環境に関する情報を前記ゲートウェイ装置に送信し、
前記ゲートウェイ装置は、
前記情報を受信する受信部と、
前記情報に基づいて、前記無線基地局に在圏する移動局をページングするためのメッセージを生成し、前記メッセージの送信先の無線基地局を決定する処理を実行するコントローラと、
前記メッセージを送信する送信部と、
を有する移動通信システム。
【請求項１０】
無線基地局の周囲の環境に関する情報を記憶するステップと、
前記情報に基づいて、前記無線基地局に在圏する移動局をページングするためのメッセージを生成し、前記メッセージの送信先の無線基地局を決定する処理を実行するステップと、
前記メッセージの送信先の無線基地局に前記メッセージを送信するステップと、
を有するページング方法。
【手続補正２】
【補正対象書類名】明細書
【補正対象項目名】０００３
【補正方法】変更
【補正の内容】
【０００３】
一般に、移動通信システムにおいてはページングの最適化（paging optimization）が必要とされる。例えば3ＧＰＰ（Third Generation Partnership Project）で規定するＬＴＥ(Long Term Evolution）の移動通信システムにおいては、ｓｔａｇｇｅｒｅｄ  ｐａｇｉｎｇという手法が提案されている（非特許文献2）。ＬＴＥでは、ＴＡＩ(Tracking Area Identity) Ｌｉｓｔに基づいてページングを実施する無線基地局（eＮＢ：e Node B）を決定する。そのため、ＴＡＩ  Ｌｉｓｔに多数のＴＡＩが含まれている場合には、そのＴＡＩを持つ全ての無線基地局がページングを実施する必要がある。そこで非特許文献2では、ＭＭＥが、端末の存在情報、例えば端末が最近実施したＴＡＵ（Tracking Area Update）の情報に基づき、ＴＡ（Tracking Area）群のサブセットとして特定のＴＡ或いは無線基地局を決定してページングする手法を提示している。
【手続補正３】
【補正対象書類名】明細書
【補正対象項目名】００４４
【補正方法】変更
【補正の内容】
【００４４】
続く動作は、ＨｅＮＢ300とＨｅＮＢ−ＧＷ100との間でＳ1接続が確立している場合（Ｓ320）と確立していない場合（Ｓ310）とで異なるため、以下に場合を分けて説明する。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
複数の無線基地局から各無線基地局の環境情報を受信する受信部と、
無線基地局の前記環境情報、及び移動局が在圏した無線基地局を記憶するメモリと、
前記移動局が最後に在圏した無線基地局の近傍の無線基地局をページングメッセージの送信先として決定するために、前記最後に在圏した無線基地局の環境情報に類似する環境情報を持つ無線基地局を判断し、前記移動局が最後に在圏した無線基地局及び当該最後に在圏した無線基地局の環境情報に類似する環境情報を持つ無線基地局を、ページングメッセージの送信先として決定する処理を実行するコントローラと、
前記処理により決定した無線基地局に対して、ページングメッセージを送信する送信部と、
を有するゲートウェイ装置。
【請求項２】
前記受信部は、コアネットワーク装置からページングメッセージをさらに受信する、
請求項１に記載のゲートウェイ装置。
【請求項３】
前記受信部は、前記無線基地局からメッセージをさらに受信し、
前記受信したメッセージは、前記移動局の識別子と前記無線基地局の識別子とを対応付けた情報とを含み、
前記コントローラは、前記受信したメッセージに基づいて、前記移動局が在圏した前記無線基地局を識別する、
請求項１又は２に記載のゲートウェイ装置。
【請求項４】
前記コントローラは、
所定の時間が経過したときに前記対応付けた情報を削除する、
請求項３に記載のゲートウェイ装置。
【請求項５】
移動通信システムはThird Generation Partnership Project（３ＧＰＰ）で規定されるLong Term Evolution（ＬＴＥ）の移動通信システムであり、
前記移動局は、User Equipment（ＵＥ）であり、
前記無線基地局はHome evolved Node B（ＨｅＮＢ）であり、
前記ゲートウェイ装置はHeNB Gateway（ＨｅＮＢ−ＧＷ）である、
請求項１から４のいずれか１項に記載のゲートウェイ装置。
【請求項６】
前記環境情報は、
ＧＰＳに関する情報、
前記無線基地局に割り当てられるＩＰアドレス、
前記無線基地局が設置される場所に関する住所、
郵便番号、または
電話番号、
のうちの少なくとも１つを含む、
請求項１から５のいずれか１項に記載のゲートウェイ装置。
【請求項７】
複数の無線基地局と、前記複数の無線基地局と通信するゲートウェイ装置と、を有する移動通信システムであって、
前記無線基地局は、
前記無線基地局の環境情報を前記ゲートウェイ装置に送信し、
前記ゲートウェイ装置は、
前記複数の無線基地局から各無線基地局の前記環境情報を受信する受信部と、
無線基地局の前記環境情報、及び移動局が在圏した無線基地局を記憶するメモリと、
前記移動局が最後に在圏した無線基地局の近傍の無線基地局をページングメッセージの送信先として決定するために、前記最後に在圏した無線基地局の環境情報に類似する環境情報を持つ無線基地局を判断し、前記移動局が最後に在圏した無線基地局、及び当該最後に在圏した無線基地局の環境情報に類似する環境情報を持つ無線基地局を、ページングメッセージの送信先として決定する処理を実行するコントローラと、
前記処理により決定した無線基地局に対して、ページングメッセージを送信する送信部と、
を有する移動通信システム。
【請求項８】
複数の無線基地局から各無線基地局の環境情報を受信するステップと、
無線基地局の前記環境情報、及び移動局が在圏した無線基地局を記憶するステップと、
前記移動局が最後に在圏した無線基地局の近傍の無線基地局をページングメッセージの送信先として決定するために、前記最後に在圏した無線基地局の環境情報に類似する環境情報を持つ無線基地局を判断し、前記移動局が最後に在圏した無線基地局、及び当該最後に在圏した無線基地局の環境情報に類似する環境情報を持つ無線基地局を、ページングメッセージの送信先として決定する処理を実行するステップと、
前記処理により決定した無線基地局に対して、ページングメッセージを送信するステップと、
を有するページング方法。
【国際調査報告】
2014050017.tif 000022
2014050017.tif 000023